(57)【要約】  実施形態の組電池は、例えば、筐体と、複数の電池セルと、第一のコネクタと、を備えた。筐体は、第一の外壁部と、第一の外壁部に設けられ第一の外壁部の外側に突出した突出部と、を有した。複数の電池セルは、電極端子を有し、筐体に収容された。第一のコネクタは、突出部に設けられ、電極端子と電気的に接続された。
2017158773.tif 000002
【特許請求の範囲】
【請求項１】
第一の外壁部と、前記第一の外壁部に設けられ前記第一の外壁部の外側に突出した突出部と、を有した筐体と、
電極端子を有し、前記筐体に収容された複数の電池セルと、
前記突出部に設けられ、前記電極端子と電気的に接続された第一のコネクタと、
を備えた組電池。
【請求項２】
前記突出部には、当該突出部の突出方向の端面と、前記端面に開口した室と、が設けられ、
前記第一のコネクタは、少なくとも一部が前記室に収容された、請求項１に記載の組電池。
【請求項３】
前記電極端子と電気的に接続される第一の端子部と、前記第一のコネクタと電気的に接続される第二の端子部と、前記第一の端子部と前記第二の端子部との間に設けられた曲部と、を有した第一の導電部材を備えた、請求項１または２に記載の組電池。
【請求項４】
第一のネジ部材と、
前記第一のネジ部材と接続された第二のネジ部材と、
前記筐体に設けられ、前記第一のネジ部材の中心軸の軸方向に前記第一のネジ部材を移動可能に支持した支持部と、
前記電極端子と電気的に接続された第一の導電部材と、
を備え、
前記第一のコネクタは、絶縁性のボディーと、前記ボディーに支持された第二の導電部材と、を有し、
前記第一の導電部材と前記第二の導電部材とが、前記第一のネジ部材と前記第二のネジ部材との間に挟まれた、請求項１〜３のいずれか一つに記載の組電池。
【請求項５】
前記第一のネジ部材は、第一のナットである、請求項４に記載の組電池。
【請求項６】
前記第一のナットは、
前記中心軸回りの環状の筒部と、
前記第一の導電部材と前記第二の導電部材とが重ねられた第一の面を有し、前記筒部から前記筒部の径方向の外側に張り出したフランジ部と、
を有した、請求項５に記載の組電池。
【請求項７】
前記フランジ部は、前記中心軸に沿った方向に視て非円形に構成され、
前記支持部は、前記フランジ部の外周面に沿った形状に構成されて前記外周面を囲い、前記外周面と接触した状態で前記中心軸回りの前記第一のナットの回転を制限する第二の面を有した、請求項６に記載の組電池。
【請求項８】
前記フランジ部は、前記外周面を有し前記筒部から前記径方向の外側に張り出した第一の部分と、前記第一の部分と接続され、前記第一の面を有し、少なくとも一部が前記第一の部分から前記径方向の外側に張り出した第二の部分と、を有し、
前記第一の面の面積は、前記第一の部分の前記中心軸と直交する断面の面積よりも大きい、請求項７に記載の組電池。
【請求項９】
前記第一の面は、前記中心軸に関して非対称に構成された、請求項６〜８のいずれか一つに記載の組電池。
【請求項１０】
前記第一の外壁部に設けられ、第一のネジ部と接続可能な第二のネジ部を備え、
前記第一の外壁部は、絶縁性であり、
前記第一のネジ部が第一の支持部材を間に挟んで前記第二のネジ部に取り付けられた状態で、前記筐体が前記第一の支持部材に支持された、請求項１〜９のいずれか一つに記載の組電池。
【請求項１１】
前記第二のネジ部は、前記第一の外壁部に少なくとも一部が埋め込まれた状態で設けられた第二のナットによって構成された、請求項１０に記載の組電池。
【請求項１２】
前記筐体は、第二の支持部材と接続された第二の外壁部を有し、
前記第二のネジ部は、前記第一の支持部材を介して前記第二の支持部材と接続された、請求項１０または１１に記載の組電池。
【請求項１３】
前記第一のコネクタに第二のコネクタが電気的に接続された状態で、前記第二のコネクタに接続されたケーブルが前記第一の外壁部に沿って延びた、請求項１〜１２のいずれか一つに記載の組電池。
【発明の詳細な説明】
【技術分野】
【０００１】
本発明の実施形態は、組電池に関する。
【背景技術】
【０００２】
従来、複数の電池を筐体に収容し、複数の電池の電力を端子台から出力する組電池が知られている。
【先行技術文献】
【特許文献】
【０００３】
【特許文献１】特開２０１２−１３４０９２号公報
【発明の概要】
【発明が解決しようとする課題】
【０００４】
この種の組電池では、例えば、組電池に取り付けられて組電池の電力が伝達される接続部材の取付作業でより不都合の少ない新規な構成が得られれば、好ましい。
【課題を解決するための手段】
【０００５】
実施形態の組電池は、例えば、筐体と、複数の電池セルと、第一のコネクタと、を備えた。前記筐体は、第一の外壁部と、前記第一の外壁部に設けられ前記第一の外壁部の外側に突出した突出部と、を有した。前記複数の電池セルは、電極端子を有し、前記筐体に収容された。前記第一のコネクタは、前記突出部に設けられ、前記電極端子と電気的に接続された。
【図面の簡単な説明】
【０００６】
【図１】図１は、第１の実施形態の組電池の模式的かつ例示的な斜視図であって、組電池が設置部に設置された状態を示す図である。
【図２】図２は、第１の実施形態の組電池および固定構造の模式的かつ例示的な分解斜視図である。
【図３】図３は、第１の実施形態の組電池の模式的かつ例示的な斜視図である。
【図４】図４は、第１の実施形態の組電池の模式的かつ例示的な斜視図であって、組電池を底面側から見た図である。
【図５】図５は、第１の実施形態の組電池の模式的かつ例示的な側面図である。
【図６】図６は、第１の実施形態の組電池の模式的かつ例示的な正面図である。
【図７】図７は、第１の実施形態の組電池の模式的かつ例示的な斜視図であって、組電池に外部コネクタが接続された状態を示す図である。
【図８】図８は、第１の実施形態の組電池の一部の模式的かつ例示的な側面図である。
【図９】図９は、第１の実施形態の組電池の一部の模式的かつ例示的な断面図である。
【図１０】図１０は、第１の実施形態の組電池の筐体内の一部の模式的かつ例示的な斜視図であって、支持部に第一のナットが支持された状態の図である。
【図１１】図１１は、第１の実施形態の組電池の筐体内の一部の模式的かつ例示的な斜視図であって、支持部から第一のナットが取り外された状態の図である。
【図１２】図１２は、第１の実施形態の組電池の第一のナットの模式的かつ例示的な斜視図である。
【図１３】図１３は、第１の実施形態の組電池の第一の外壁部の一部の模式的かつ例示的な斜視図（一部断面図）である。
【図１４】図１４は、第１の実施形態の組電池の第一の外壁部の一部の模式的かつ例示的な断面図である。
【図１５】図１５は、第１の実施形態の組電池の第二のナットの模式的かつ例示的な斜視図である。
【図１６】図１６は、第２の実施形態の組電池の第一のナットの模式的かつ例示的な斜視図である。
【図１７】図１７は、第３の実施形態の組電池の第一のナットの模式的かつ例示的な斜視図である。
【図１８】図１８は、第４の実施形態の組電池の第一のナットの模式的かつ例示的な斜視図である。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。なお、以下の各図では、便宜上、方向が規定されている。Ｘ方向は、筐体１１の長手方向であり、電池セル１２の幅方向である。Ｙ方向は、筐体１１の短手方向に沿い、電池セル１２の厚さ方向に沿っている。Ｚ方向は、筐体１１の高さ方向および電池セル１２の高さ方向に沿っている。Ｘ方向、Ｙ方向、およびＺ方向は、互いに直交している。
【０００９】
＜第１の実施形態＞
図１，２に示されるように、組電池１は、例えば、筐体１１と、複数の電池セル１２と、導電部材１３，１４と、コネクタ１５Ａ，１５Ｂと、回路基板１７と、を備えている。電池セル１２、導電部材１３，１４、コネクタ１５Ａ，１５Ｂ、および回路基板１７は、筐体１１に収容されている。複数の電池セル１２は、複数の導電部材１３によって互いに電気的に接続されている。複数の電池セル１２の電力、すなわち組電池１の電力は、導電部材１４およびコネクタ１５Ａ，１５Ｂを介して、外部コネクタ１００（接続部材）に出力可能となっている。また、組電池１は、ブラケット１０１およびボルト１０２によって、設置部１０３に固定可能となっている。コネクタ１５Ａ，１５Ｂの一方は、正極コネクタであり、コネクタ１５Ａ，１５Ｂの他方は、負極コネクタである。以後、コネクタ１５Ａ，１５Ｂの総称としてコネクタ１５を用いる場合がある。組電池１は、電池モジュールや電池装置とも称されうる。また、筐体１１は、ケースや容器とも称されうる。また、電池セル１２は、単電池や電池とも称される。コネクタ１５は、第一のコネクタの一例であり、外部コネクタ１００は、第二のコネクタの一例である。
【００１０】
電池セル１２は、例えば、リチウムイオン二次電池として構成されている。なお、電池セル１２は、ニッケル水素電池や、ニッケルカドミウム電池、鉛蓄電池等、他の電池であってもよい。
【００１１】
図２に示されるように、電池セル１２は、一方向（例えば、Ｙ方向）に薄い偏平の直方体状に構成されている。電池セル１２は、筐体２１と、正極端子２２Ａと、負極端子２２Ｂと、弁部２４と、を有している。筐体２１内には、不図示の電極体および電解液が収容されている。電極体は、一例として、発電要素である正極シートおよび負極シートがセパレータを介してスパイラル状に巻かれて形成されうる。また、電極体は、一例として、正極シートおよび負極シートがセパレータを介して積層されて形成されうる。電極体の正極シートおよび負極シートに、正極端子２２Ａおよび負極端子２２Ｂがそれぞれ接続されている。以後、正極端子２２Ａおよび負極端子２２Ｂの総称として電極端子２２を用いる場合がある。
【００１２】
筐体２１は、一例として、一方向（例えば、Ｙ方向）に薄い偏平の直方体状に構成されている。筐体２１は、金属材料（例えば、アルミニウムや、アルミニウム合金、ステンレス等）や合成樹脂材料で構成されている。筐体２１は、収容体２１ａと蓋体２１ｂとが組み合わせられて構成されている。収容体２１ａは、上部が開放された略直方体の箱型に形成されており、この収容体２１ａに電極体および電解液が収容されている。蓋体２１ｂは、収容体２１ａの開放された上部を塞いでいる。筐体２１は、容器とも称されうる。
【００１３】
正極端子２２Ａおよび負極端子２２Ｂは、蓋体２１ｂに設けられて、蓋体２１ｂの外面から突出している。正極端子２２Ａと負極端子２２Ｂとは、Ｘ方向すなわち蓋体２１ｂの長手方向に間隔をあけて配置されている。正極端子２２Ａと負極端子２２Ｂとは、それぞれ導電性材料によって構成されている。
【００１４】
弁部２４は、蓋体２１ｂにおいて正極端子２２Ａと負極端子２２Ｂとの間に設けられている。弁部２４は、筐体２１内の圧力が閾値よりも高くなった場合に開放され、当該筐体２１内の圧力を低下させる。
【００１５】
複数の電池セル１２は、筐体１１内において、例えば、三列に並べられている。複数の電池セル１２は、蓋体２１ｂの外面が同じ方向（一例として、Ｚ方向）に向くように配置されているとともに、蓋体２１ｂの長手方向が同じ方向（一例としてＸ方向）に沿うように配置されている。複数の電池セル１２は、複数の導電部材１３によって直列や並列に電気的に接続されている。導電部材１３は、例えばアルミニウム等の導電性材料によって構成されている。導電部材１３は、バスバーや接続部材、結合部材とも称されうる。
【００１６】
図１に示されるように、筐体１１は、一方向（Ｘ方向）に長い直方体状の外観を呈している。図２〜６に示されるように、筐体１１は、底壁部１１ａ、端壁部１１ｂ，１１ｃ、側壁部１１ｄ，１１ｅ、天壁部１１ｆ、中間壁部１１ｇ（図２参照）、および仕切壁部１１ｈ（図２参照）等の複数の壁部（壁）を有している。端壁部１１ｂは、第一の外壁部の一例であり、底壁部１１ａは、第二の外壁部の一例である。
【００１７】
底壁部１１ａは、四角形状（例えば長方形状）の板状に形成されている。底壁部１１ａは、ＸＹ平面に沿って延びている。底壁部１１ａの外面は、平面状に構成されている。
【００１８】
端壁部１１ｂ，１１ｃは、四角形状（例えば長方形状）の板状に形成され、底壁部１１ａの長手方向（Ｘ方向）の端部に接続されている。また、端壁部１１ｂ，１１ｃは、底壁部１１ａと交差する方向（一例として直交する方向、ＹＺ平面）に沿って延びている。端壁部１１ｂ，１１ｃは、底壁部１１ａの長手方向（Ｘ方向）に間隔を空けて互いに略平行に設けられている。
【００１９】
側壁部１１ｄ，１１ｅは、四角形状（例えば長方形状）の板状に形成され、底壁部１１ａの短手方向（Ｙ方向）の端部に接続されている。また、側壁部１１ｄ，１１ｅは、底壁部１１ａと交差する方向（一例として直交する方向、ＸＺ平面）に沿って延びている。側壁部１１ｄ，１１ｅは、底壁部１１ａの短手方向（Ｙ方向）に間隔を空けて互いに略平行に設けられている。また、側壁部１１ｄ，１１ｅは、隣接する端壁部１１ｂ，１１ｃと接続されている。
【００２０】
天壁部１１ｆは、四角形状（例えば長方形状）の板状に形成されている。天壁部１１ｆは、端壁部１１ｂ，１１ｃおよび側壁部１１ｄ，１１ｅの、底壁部１１ａとは反対側の端部に接続されている。天壁部１１ｆは、底壁部１１ａの厚さ方向（Ｚ方向）に底壁部１１ａと間隔を空けて設けられている。天壁部１１ｆは、底壁部１１ａと略平行に延びている。
【００２１】
中間壁部１１ｇは、四角形状（例えば長方形状）の板状に形成されている。中間壁部１１ｇは、底壁部１１ａと天壁部１１ｆとの間に位置されている。中間壁部１１ｇは、底壁部１１ａおよび天壁部１１ｆと略平行に延びている。中間壁部１１ｇは、端壁部１１ｂ，１１ｃおよび側壁部１１ｄ，１１ｅの内面に接続されている。
【００２２】
仕切壁部１１ｈは、四角形状（例えば長方形状）の板状に形成されている。仕切壁部１１ｈは、底壁部１１ａと中間壁部１１ｇとの間に位置されて、底壁部１１ａと接続されている。仕切壁部１１ｈは、端壁部１１ｂ，１１ｃと並んで設けられている。仕切壁部１１ｈは、端壁部１１ｂ，１１ｃと略平行に設けられている。また、複数の仕切壁部１１ｈは、それらの面同士が面した状態で並んで（一例として平行に）配置されている。仕切壁部１１ｈの間隔は、略一定である。
【００２３】
筐体１１の内部には、底壁部１１ａ、端壁部１１ｂ，１１ｃ、側壁部１１ｄ，１１ｅ、および中間壁部１１ｇによって囲まれた収容室１１ｉ（図２参照）が設けられている。収容室１１ｉは、仕切壁部１１ｈやスペーサ３１によって、複数の領域（室）に区画され、各領域に一つの電池セル１２が収容されている。
【００２４】
また、筐体１１の端壁部１１ｂには、二つの突出部１１ｊが設けられている。二つの突出部１１ｊは、端壁部１１ｂの天壁部１１ｆ側の端部に設けられている。突出部１１ｊは、端壁部１１ｂと天壁部１１ｆとに渡って設けられている。各突出部１１ｊは、端壁部１１ｂの外面１１ｂａの外側に突出している（張り出している）。二つの突出部１１ｊは、筐体１１の短手方向（Ｙ方向）に互いに間隔を空けて設けられている。これらの突出部１１ｊのそれぞれにコネクタ１５が配置されている。突出部１１ｊは、張出部とも称されうる。
【００２５】
筐体１１は、絶縁性を有した合成樹脂材料（例えば、変性ＰＰＥ（ポリフェニレンエーテル）や、ＰＦＡ（パーフルオロアルコキシアルカン、テトラフルオロエチレン・パーフルオロアルキルビニルエーテル共重合体）等）で構成されている。また、筐体１１の合成樹脂材料としては、熱可塑性樹脂を用いることができ、例えば、ＰＥや、ＰＰ、ＰＭＰ等のオレフィン樹脂、ＰＥＴや、ＰＢＴ、ＰＥＮ等のポリエステル系樹脂、ＰＯＭ樹脂、ＰＡ６、ＰＡ６６、ＰＡ１２等のポリアミド系樹脂、ＰＰＳ樹脂、ＬＣＰ樹脂等の結晶性樹脂およびそれらのアロイ樹脂、あるいは、ＰＳや、ＰＣ、ＰＣ／ＡＢＳ、ＡＢＳ、ＡＳ、変性ＰＰＥ、ＰＥＳ、ＰＥＩ、ＰＳＦ等の非結晶性樹脂およびそれらのアロイ樹脂を、用いることができる。
【００２６】
また、図２等に示されるように、筐体１１は、複数の部材、具体的には、収容体４１、中間部材４２、および蓋部材４３の組み合わせとして構成されている。中間部材４２は、収容体４１の一端部に重ねられて収容体４１と結合され、蓋部材４３は、中間部材４２の一端部に重ねられて中間部材４２と結合されている。収容室１１ｉは、収容体４１および中間部材４２に囲まれている。
【００２７】
収容体４１は、底壁部１１ａと、端壁部１１ｂ，１１ｃに含まれた端壁部４１ｂ，４１ｃと、側壁部１１ｄ，１１ｅに含まれた側壁部４１ｄ，４１ｅと、仕切壁部１１ｈと、を有している。収容体４１には、底壁部１１ａと、端壁部４１ｂ，４１ｃと、側壁部４１ｄ，４１ｅと、に囲まれた開口部４１ｆ（凹部、空間）が設けられている。開口部４１ｆは、収容室１１ｉの少なくとも一部を構成している。
【００２８】
中間部材４２は、端壁部１１ｂ，１１ｃに含まれた端壁部４２ｂ，４２ｃと、側壁部１１ｄ，１１ｅに含まれた側壁部４２ｄ，４２ｅと、中間壁部１１ｇと、突出部１１ｊの少なくとも一部と、を有している。中間部材４２は、収容体４１の開口部４１ｆを覆っている。中間壁部１１ｇは、底壁部１１ａの厚さ方向（Ｚ方向、筐体１１の高さ方向）での壁部４２ｂ，４２ｃおよび側壁部１１ｄ，１１ｅのそれぞれの中間部に接続されている。
【００２９】
蓋部材４３は、天壁部１１ｆと、突出部１１ｊの少なくとも一部と、を含んでいる。
【００３０】
収容体４１と中間部材４２とは、結合部４４によって機械的に結合され、中間部材４２と蓋部材４３とは、結合部４５によって機械的に結合されている。すなわち、収容体４１と蓋部材４３とは、中間部材４２を介して結合されている。結合部４４は、中間部材４２の端壁部４２ｂ，４２ｃおよび側壁部４２ｄ，４２ｅに設けられた複数の爪が収容体４１の端壁部４１ｂ，４１ｃおよび側壁部１１ｄ，１１ｅに引っ掛かることにより、中間部材４２と収容体４１を結合している。また、結合部４５は、蓋部材４３に設けられた複数の爪が中間部材４２の側壁部４２ｄ，４２ｅに引っ掛かることにより蓋部材４３と中間部材４２とを結合している。
【００３１】
上記構成の筐体１１においては、前述のとおり、収容室１１ｉの一部を構成する収容体４１の開口部４１ｆに、複数の電池セル１２が収容されている。隣り合う電池セル１２の間には、絶縁性のスペーサ３１が配置されている。スペーサ３１は、隣り合う二つの電池セル１２を離間させる。スペーサ３１は、例えば、絶縁性の材料によって形成されたシートである。スペーサ３１は、仕切壁部（壁部）とも称されうる。
【００３２】
また、電池セル１２の正極端子２２Ａおよび負極端子２２Ｂは、中間壁部１１ｇに設けられた貫通孔（開口部）を貫通して、中間壁部１１ｇの天壁部１１ｆ側に突出している。
【００３３】
また、中間壁部１１ｇと天壁部１１ｆとの間に設けられた収容室１１ｋ（空間）に、複数の導電部材１３，１４や、コネクタ１５Ａ，１５Ｂ、回路基板１７、板部材１８等が収容されている。導電部材１３，１４は、例えば、電池セル１２の電極端子（正極端子２２Ａ、負極端子２２Ｂ）に溶接されている。コネクタ１５Ａ，１５Ｂは、ネジ等の結合具４６によって、中間部材４２に結合されている。また、回路基板１７は、ネジ等の結合具４６によって、蓋部材４３に結合されている。
【００３４】
回路基板１７は、例えば、プリント回路板（ＰＣＢ）である。回路基板１７には、配線パターンが設けられるとともに、複数の電子部品が実装されている。回路基板１７は、導電部材１３等に電気的に接続されて、導電部材１３の温度や電池セル１２の電圧等を検出可能である。また、回路基板１７には、二つ（複数）のコネクタ４８が実装されている。コネクタ４８は、例えばＬＡＮコネクタ（通信コネクタ）である。コネクタ４８は、中間部材４２の端壁部４２ｂに設けられた開口部４２ｂ１から露出されている。コネクタ４８は、二つの突出部１１ｊ間、すなわち二つのコネクタ１５Ａ，１５Ｂの間に配置されている。コネクタ４８には、例えは、ＬＡＮケーブルのコネクタ３２（図７参照）が接続される。当該ＬＡＮケーブルを介して、例えば、制御装置が、回路基板１７の検出結果を受信するとともに、電池セル１２の電圧を制御する。
【００３５】
次に、コネクタ１５、導電部材１４、および突出部１１ｊについて詳細に説明する。なお、二つの導電部材１４、二つのコネクタ１５、および二つの突出部１１ｊは、それぞれ同様の構成であるので、以下では、一方（端壁部１１ｄ側、図２での手前側）の、導電部材１４、コネクタ１５、および突出部１１ｊについて主に説明する。
【００３６】
図８，９に示されるように、突出部１１ｊは、底壁部１１ｊａと、端壁部１１ｊｂと、側壁部１１ｊｄ，１１ｊｅと、天壁部１１ｊｆと、を有している。底壁部１１ｊａは、中間壁部１１ｇから延出している。側壁部１１ｊｄは、側壁部１１ｄ（側壁部４２ｄ）から延出している。側壁部１１ｊｅは、側壁部１１ｊｂのＹ方向とは反対側（側壁部１１ｅ側）に位置されるとともに、側壁部１１ｊｂとＹ方向に間隔を空けて設けられている。天壁部１１ｊｆは、天壁部１１ｆから延出している。端壁部１１ｊｂは、底壁部１１ｊａ、側壁部１１ｊｄ，１１ｊｅ、および天壁部１１ｊｆと接続されている。なお、二つの突出部１１ｊのうちの他方（端壁部１１ｅ側、図２での奥側）では、側壁部１１ｊｅが、側壁部１１ｅ（側壁部４２ｅ）から延出し、側壁部１１ｊｄは、側壁部１１ｊｅのＹ方向（側壁部１１ｄ側）に位置されている。
【００３７】
また、突出部１１ｊは、突出部１１ｊの突出方向（一例として、Ｘ方向の反対方向、図９では右方向）の端面１１ｊｊを有している。端面１１ｊｊは、端壁部１１ｊｂの外面を構成している。また、突出部１１ｊ内には、室１１ｊｈ（空間、収容室）が設けられている。室１１ｊｈは、端面１１ｊｊに開口している。室１１ｊｈは、端壁部１１ｊｂ（端面１１ｊｊ）を貫通した開口部１１ｊｉを含む。また、室１１ｊｈは、収容室１１ｋに通じている。
【００３８】
本実施形態では、コネクタ１５が雌コネクタであり、外部コネクタ１００が雄コネクタである。コネクタ１５は、絶縁性のボディー１５ａと、ボディー１５ａに支持された導電部材１５ｂと、を有している。ボディー１５ａには、開口部１５ｃが設けられている。開口部１５ｃに外部コネクタ１００が挿入されて、コネクタ１５と外部コネクタ１００とが互いに嵌め合わされる。本実施形態では、コネクタ１５への外部コネクタ１００の挿入方向（装着方向、取付方向）は、突出部１１ｊの突出方向とは逆方向（Ｘ方向）である。すなわち、外部コネクタ１００は、突出部１１ｊの突出方向とは逆方向（Ｘ方向）に移動されてコネクタ１５に取り付けられる。ボディー１５ａは、合成樹脂材料によって構成されている。なお、図９では、コネクタ１５の内部構造は概略的に示されている。
【００３９】
導電部材１５ｂは、一部がボディー１５ａ内に埋め込まれた状態でボディー１５ａに支持されている。導電部材１５ｂは、ボディー１５ａ内に設けられた端子部と、電気的に接続されている。当該端子部が外部コネクタ１００の端子部と電気的に接続される。また、導電部材１５ｂは、ボディー１５ａの開口部１５ｃとは反対側にボディー１５ａから突出した端子部１５ｄを有している。端子部１５ｄは、平板状に構成されている。端子部１５ｄは、導電部材１４を介して電極端子２２と電気的に接続されている。導電部材１５ｂは、例えばアルミニウム等の導電性材料によって構成されている。導電部材１５ｂは、バスバーや接続部材、結合部材とも称されうる。
【００４０】
コネクタ１５は、開口部１５ｃが突出部１１ｊの開口部１１ｊｉから露出し、かつ端壁部１１ｂの厚さ方向（Ｘ方向）にボディー１５ａと端子部１５ｄとが並んだ状態で、室１１ｊｈに少なくとも一部が収容されている。本実施形態では、一例として、ボディー１５ａの一部が室１１ｊｈに収容され、ボディー１５ａの他部および端子部１５ｄは、収容室１１ｋに収容されている。なお、ボディー１５ａ全体やコネクタ１５全体が室１１ｊｈに収容されてもよい。ボディー１５ａは、当該ボディー１５ａのＹ方向の両側部分が、結合具４６によって中間壁部１１ｇと底壁部１１ｊａとの少なくとも一方に結合されている。このとき、ボディー１５ａは、中間壁部１１ｇおよび底壁部１１ｊａからコネクタ１５に向けて突出した突部１１ｌに押し付けられている。つまり、ボディー１５ａは、突部１１ｌによって支持されている。導電部材１５ｂは、第二の導電部材の一例である。
【００４１】
導電部材１４は、二つの端子部１４ａ，１４ｂと、二つ（複数）の曲部１４ｃ，１４ｄと、を有している。端子部１４ａは、電極端子２２と電気的に接続されている。端子部１４ａは、例えば、電極端子２２に重ねられた状態で電極端子２２に溶接（結合）されている。端子部１４ｂは、コネクタ１５と電気的に接続されている。端子部１４ａと端子部１４ｂとは、Ｚ方向に離れて位置されている。曲部１４ｃ，１４ｄは、端子部１４ａと端子部１４ｂとの間に設けられているとともに、Ｚ方向に並べられている。曲部１４ｃは、端子部１４ａに接続されている。曲部１４ｃは、Ｘ方向に向けて凸状に構成されるとともに、Ｘ方向の反対側に開放された略Ｕ字状（湾曲状）に構成されている。曲部１４ｄは、曲部１４ｃと端子部１４ｂとに接続されている。曲部１４ｄは、Ｘ方向の反対側に向けて凸状に構成されるとともに、Ｘ方向に開放された略Ｕ字状（湾曲状）に構成されている。このような構成の導電部材１４では、少なくとも曲部１４ｃ，１４ｄが弾性部（バネ部）として機能しうる。例えば、コネクタ１５が結合具４６による固定箇所を支点として、端子部１５ｄがＺ方向に振動した場合等に、曲部１４ｃ，１４ｄが弾性変形する。これにより、端子部１４ａ，１４ｂ，１５ｄや電極端子２２での応力集中が緩和されやすい。なお、曲部１４ｃの形状は、Ｕ字状（湾曲状）以外であってもよい。例えば、曲部１４ｃの形状は、略Ｖ字状等であってもよい。導電部材１４は、例えばアルミニウム等の導電性材料によって構成されている。導電部材１４は、バスバーや接続部材、結合部材とも称されうる。端子部１４ａは、第一の端子部の一例であり、端子部１４ｂは、第二の端子部の一例である。
【００４２】
コネクタ１５の端子部１５ｄと導電部材１５ｂの端子部１５ｄとは、ナット４７および雄ネジ部材４９とによって結合されている。ナット４７および雄ネジ部材４９は、筐体１１内（収容室１１ｋ）に収容されて、互いに接続されている。詳細には、コネクタ１５の端子部１５ｄと、導電部材１５ｂの端子部１５ｄと、ワッシャ７０とが、ナット４７と雄ネジ部材４９との間にＺ方向に挟まれている。ナット４７は、第一のネジ部材および第一のナットの一例であり、雄ネジ部材４９は、第二のネジ部材の一例である。
【００４３】
図１０，１２に示すように、ナット４７は、雄ネジ部材４９が挿入される筒部４７ａと、フランジ部４７ｂと、を有している。筒部４７ａは、中心軸Ａｘ回りの環状（一例として、円筒状）に構成されている。中心軸Ａｘは、Ｚ方向に沿っている。筒部４７ａの内側（内周部）には、雌ネジ部４７ｃが設けられている。ナット４７は、例えば真鍮や鉄等の金属材料によって構成されうる。また、ナット４７の表面には、ニッケル等のメッキが施されうる。
【００４４】
フランジ部４７ｂは、筒部４７ａのＺ方向の端部から筒部４７ａの径方向の外側に張り出している。フランジ部４７ｂは、ナット４７のＺ方向の端面を構成する面４７ｄを有している。面４７ｄには、導電部材１４の端子部１４ｂと導電部材１５ｂの端子部１５ｄとが重ねられている（図９参照）。面４７ｄは、第一の面の一例である。
【００４５】
また、フランジ部４７ｂは、中心軸Ａｘの軸方向（Ｚ方向）に沿った方向に視て非円形に構成されている。すなわち、フランジ部４７ｂの中心軸Ａｘ回りの外周面４７ｅは、中心軸Ａｘに沿った方向に視た場合、中心軸Ａｘと直交する方向の中心軸Ａｘからの距離が互いに異なる複数の部分を有する。本実施形態では、例えば、フランジ部４７ｂは、中心軸Ａｘに沿った方向に視て六角形（多角形）に構成されている。
【００４６】
ナット４７は、中心軸Ａｘの軸方向（Ｚ方向）に移動可能に支持部１１ｇａに支持されている。図９〜１１に示されるように、支持部１１ｇａは、筐体１１の中間壁部１１ｇに設けられている。支持部１１ｇａには、開口部１１ｇｂ（貫通孔）が設けられている。この開口部１１ｇｂに、ナット４７が収容されている。
【００４７】
支持部１１ｇａは、支持部１１ｇａの突出方向の端面１１ｇｃと、支持部１１ｇａの内面を構成する面１１ｇｄ，１１ｇｅ，１１ｇｆと、を有している。ナット４７の面４７ｄを含む端部は、端面１１ｇｃから突出している。面１１ｇｄ，１１ｇｅ，１１ｇｆは、開口部１１ｇｂに面している。面１１ｇｄは、ナット４７の筒部４７ａの外周面に沿った形状（円筒状）に構成されて、筒部４７ａを囲んでいる。面１１ｇｅは、ナット４７のフランジ部４７ｂの外周面４７ｅに沿った形状（非円形、一例として六角形）に構成されて、外周面４７ｅを囲んでいる。面１１ｇｆは、面１１ｇｄと面１１ｇｅとの間に設けられるとともにＸＹ平面に沿って延びている。面１１ｇｆは、フランジ部４７ｂを中心軸Ａｘの軸方向の一方側（Ｚ方向）に支持している。面１１ｇｅは、第二の面の一例である。
【００４８】
上記構成の支持部１１ｇａは、中心軸Ａｘの軸方向（Ｚ方向）にナット４７を移動可能に支持している。また、面１１ｇｅが、外周面４７ｅと接触した状態で中心軸Ａｘ回りのナット４７の回転を制限する。
【００４９】
ここで、本実施形態では、支持部１１ｇａは、樹脂成形によって中間部材４２と一体形成されうる。このため、面１１ｇｄは、その径（筒径）が端面１１ｇｃに向かうにうつれて大きくなるように、テーパ形状に構成されている。すわなち、面１１ｇｄには、抜き勾配が設けられている。一方、面１１ｇｅの径は、一定である。このような構成により、支持部１１ｇａの形状不良が抑制されるとともに、面１１ｇｄとフランジ部４７ｂの外周面４７ｅとの接触面積が減少するのが抑制される。
【００５０】
以上の構成では、図６，７に示されるように、外部コネクタ１００とコネクタ１５とが接続された状態で、外部コネクタ１００に接続されたケーブル１０４が端壁部１１ｂに沿って端壁部１１ｂの下端部１１ｓに向かって延びている。すなわち、ケーブル１０４は、コネクタ１５への外部コネクタ１００の挿入方向（Ｘ方向）と交差する方向に延びている。ケーブル１０４と壁部１１ｂの外面１１ｂａとの間には、隙間が設けられている。
【００５１】
図１に示されるように、組電池１は、例えば、ブラケット１０１およびボルト１０２によって、設置部１０３に固定される。設置部１０３は、例えば、筐体１１の底壁部１１ａに沿って延びた長方形状（四角形状）の板状に形成されている。設置部１０３は、支持部材や、放熱部材、トレイ部材、棚部材、スライド部材等とも称されうる。組電池１、ブラケット１０１、および設置部１０３は、電池ユニットの一例である。本実施形態では、例えば、複数の電池ユニットが、それぞれ同じ姿勢でＹ方向に並べられて配置されうる。設置部１０３は、第二の支持部材の一例である。
【００５２】
ブラケット１０１は、例えば、底壁部１０１ａと、立壁部１０１ｂと、を有する。底壁部１０１ａは、設置部１０３に沿って延びた四角形状の板状に形成されている。図２，４にも示されるように、底壁部１０１ａには、ボルト１０２が貫通する開口部１０１ｃが設けられている。また、立壁部１０１ｂは、筐体１１の端壁部１１ｂ，１１ｃに沿って延びた長方形状の板状に形成され、底壁部１０１ａの端壁部１１ｂ，１１ｃ側の端部と接続されている。立壁部１０１ｂには、ボルト１０２が貫通する開口部１０１ｄが設けられている。ブラケット１０１は、相互に接続された底壁部１０１ａおよび立壁部１０１ｂによって、Ｙ方向の視線では、略Ｌ字状に形成されている。ブラケット１０１は、第一の支持部材の一例であり、取付部材や、固定部材等とも称されうる。
【００５３】
そして、図３，５に示されるように、筐体１１の端壁部１１ｂ，１１ｃには、それぞれ、複数のナット５１が設けられている。ナット５１には、ボルト１０２の第一のネジ部１０２ａ（図２参照）と接続可能な第二のネジ部５１ｃ（図３，１５参照）が設けられている。第一のネジ部１０２ａは、ボルト１０２の軸部の外面に形成された雄ネジ部であり、第二のネジ部５１ｃは、ナット５１の筒部５１ａの内面に形成された雌ネジ部である。ナット５１は、例えば、インサート成形等によって、筐体１１と一体に構成されている。また、ナット５１は、少なくとも第二のネジ部５１ｃが筐体１１の外側に露出した状態で、端壁部１１ｂ，１１ｃに固定されている。本実施形態では、これらのナット５１に、立壁部１０１ｂ（図１，２参照）を間に挟んだ状態でボルト１０２が結合されることにより、筐体１１がブラケット１０１に支持（固定）される。また、設置部１０３の裏側に設けられうるナットに、設置部１０３および底壁部１０１ａを間に挟んだ状態でボルト１０２が結合されることにより、ブラケット１０１が設置部１０３に固定される。このような構成によって、筐体１１（組電池１）が、ブラケット１０１を介して、設置部１０３に固定される。ブラケット１０１およびボルト１０２は、固定構造の一例である。なお、底壁部１０１ａを設置部１０３に結合するボルト１０２は、ネジであってもよい。ナット５１は、第二のナットの一例である。
【００５４】
また、筐体１１の底壁部１１ａと設置部１０３との間には、シート状の熱伝導部材が設けられうる。熱伝導部材は、例えば、熱伝導性フィラー（金属材料）が含有された合成樹脂材料等によって構成される。図４に示されるように、筐体１１にブラケット１０１が取り付けられた状態では、底壁部１１ａの下面と底壁部１０１ａの下面とは、互いに同一平面に沿って並んでいる。本実施形態では、例えば、Ｘ方向に並んだ二つの底壁部１０１ａを設置部１０３側に押し付けた状態でボルト１０２とナット５１とを結合することにより、底壁部１１ａと設置部１０３との間で熱伝導部材をＺ方向に圧縮させている。これにより、底壁部１１ａと熱伝導部材とが互いにより密着しやすくなるとともに、熱伝導部材と設置部１０３とが互いにより密着しやすくなる。よって、例えば、筐体１１に収容された複数の電池セル１２の熱が、底壁部１１ａや熱伝導部材を介して、設置部１０３により効果的に伝わりやすくなる。なお、熱伝導部材は、熱伝導シートには限定されず、例えば、グリスや、接着剤等であってもよい。
【００５５】
また、図３，５に示されるように、端壁部１１ｂ，１１ｃのそれぞれには、複数（例えば、四つ）のナット５１が、Ｙ方向およびＺ方向に互いに間隔をあけて設けられている。ブラケット１０１は、複数のナット５１によって、任意の位置で選択的に取り付け可能となっている。ブラケット１０１は、例えば、複数のナット５１のうち少なくともＹ方向に並んだ二つのナット５１と二点止めされることにより、一点止めの場合と比べて、筐体１１がブラケット１０１によりしっかりと支持されやすくなる。また、本実施形態では、複数のナット５１によって、筐体１１は、底壁部１１ａが設置部１０３と面する第一の姿勢（図１参照）や、側壁部１１ｄが設置部１０３と面する第二の姿勢、側壁部１１ｅが設置部１０３と面する第三の姿勢等、複数の姿勢で設置可能となっている。第一の姿勢、第二の姿勢、および第三の姿勢のいずれの場合にも、Ｙ方向およびＺ方向に並んだ二つのナット５１によって、ブラケット１０１を二点止めすることができる。なお、第一の姿勢と第二の姿勢（第三の姿勢）とでは、別々のブラケット１０１が用いられる。
【００５６】
また、図３，６に示されるように、複数のナット５１は、端壁部１１ｂ，１１ｃのうち収容体４１の端壁部４１ｂ，４１ｃに設けられている。Ｚ方向に並んだ二つのナット５１は、端壁部４１ｂ，４１ｃのＺ方向の中間部を間にして当該中間部から略同じ距離、離れた位置に設けられている。仮に、中間部材４２の端壁部４２ｂ，４２ｃにナット５１が設けられた場合、ブラケット１０１の立壁部１０１ｂ（図１，２参照）を端壁部４２ｂ，４２ｃとＸ方向に重なる位置まで延ばすことが必要となる虞がある。その点、本実施形態によれば、ナット５１が端壁部４１ｂ，４１ｃに設けられているため、ブラケット１０１の立壁部１０１ｂがＺ方向により小型に構成されやすくなる。なお、端壁部４１ｂ，４１ｃ、あるいは端壁部４２ｂ，４２ｃには、立壁部１０１ｂとＸ方向に重ならずにＺ方向にオフセットした位置に、シリアル番号等の表示部が設けられうる。本実施形態によれば、ブラケット１０１がＺ方向により小型に構成されやすいため、例えば、シリアル番号等の表示部がブラケット１０１によって覆われて隠れるのが抑制されやすいという利点もある。
【００５７】
また、図３，６に示されるように、端壁部４２ｂには、コネクタ１５Ａ，１５Ｂが設けられている。コネクタ１５Ａ，１５Ｂは、Ｙ方向に並んだ二つのナット５１の間に位置されている。すなわち、本実施形態では、コネクタ１５Ａ，１５Ｂとナット５１（第二のネジ部５１ｃ）とが、Ｙ方向にオフセットして配置されている。図１にも示されるように、コネクタ１５Ａ，１５Ｂには、外部コネクタ１００が接続される。外部コネクタ１００のケーブル１０４は、例えば、外部コネクタ１００からＺ方向に沿って延びるとともに、設置部１０３側でＸ方向に沿って曲げられて引き出される。仮に、コネクタ１５Ａ，１５Ｂとナット５１とがＹ方向にオフセットされずに配置された場合、外部コネクタ１００のケーブル１０４が、ナット５１ひいてはナット５１と結合されるボルト１０２に干渉してしまう虞がある。その点、本実施形態によれば、コネクタ１５Ａ，１５Ｂとナット５１とがＹ方向にオフセットして配置されているため、上述した不都合が生じるのが抑制されやすい。コネクタ１５Ａ，１５Ｂは、コネクタ接続部の一例である。また、Ｙ方向は、第一の方向の一例である。
【００５８】
また、図６に示されるように、複数のナット５１（第二のネジ部５１ｃ）は、端壁部１１ｂのうちの端壁部４１ｂに設けられ、コネクタ１５Ａ，１５Ｂは、端壁部１１ｂのうちの端壁部４２ｂに設けられている。このような構成により、複数のナット５１（第二のネジ部５１ｃ）は、端壁部１１ｂの上端部１１ｔよりも下端部１１ｓの近くに位置され、コネクタ１５Ａ，１５Ｂは、端壁部１１ｂの下端部１１ｓよりも上端部１１ｔの近くに位置されている。よって、本実施形態によれば、例えば、コネクタ１５Ａ，１５Ｂとナット５１とがＺ方向に互いにより離れて配置されやすくなる。よって、例えば、ナット５１に取り付けられるブラケット１０１が、コネクタ１５Ａ，１５Ｂひいてはコネクタ１５Ａ，１５Ｂと接続される外部コネクタ１００等と干渉するのが抑制されやすい。下端部１１ｓは、第一の端部の一例であり、上端部１１ｔは、第二の端部の一例である。
【００５９】
また、図３に示されるように、本実施形態では、筐体１１の端壁部１１ｂにナット５１や、コネクタ１５Ａ，１５Ｂ、コネクタ４８等が設けられているため、端壁部１１ｂの周囲にブラケット１０１や、外部コネクタ１００、コネクタ３２等がより高密度で配置されうる。これにより、例えば、筐体１１の端壁部１１ｂの周囲を除いた空間、例えば、側壁部１１ｄ，１１ｅの周囲の空間等がより有効に活用されやすくなり、ひいては複数の組電池１（電池ユニット）がＹ方向に互いにより近づいて配置されやすい場合がある。
【００６０】
図１５に示されるように、ナット５１は、例えば、筒部５１ａと、フランジ部５１ｂと、を有する。筒部５１ａは、端壁部１１ｂ，１１ｃの厚さ方向、すなわちＸ方向に沿って延びた円筒状に構成されている。筒部５１ａの内面（筒内）には、第二のネジ部５１ｃが設けられている。フランジ５１ｂは、筒部５１ａのＸ方向の一方側の端部に位置され、筒部５１ａから径方向（ＹＺ平面）の外側に張り出している。フランジ部５１ｂは、Ｘ方向の視線では、例えば、六角形状（多角形状）に構成されている。また、ナット５１は、第二のネジ部５１ｃのＸ方向の一方側の端部、すなわちブラケット１０１とは反対側の端部が閉じられている。ナット５１は、例えば、六角柱状の棒材に開口部を設けてねじ切り加工を施すとともに、棒材の外面の一部を円形状に削ること等によって構成されうる。
【００６１】
図１３，１４に示されるように、ナット５１は、端壁部１１ｂ，１１ｃにフランジ部５１ｂと筒部５１ａの少なくとも一部とが埋め込まれた状態で、筐体１１と一体化されている。フランジ部５１ｂは、Ｘ方向の一方側を向いた面５１ｂ１と、Ｘ方向の他方側を向いた面５１ｂ２と、径方向（ＹＺ平面）の外側を向いた面５１ｂ３と、を有する。フランジ部５１ｂの面５１ｂ１，５１ｂ２と端板部１１ｂ，１１ｃの樹脂とが互いに引っ掛かることにより、ナット５１の端壁部１１ｂ，１１ｃに対するＸ方向への移動、すなわち抜けが抑制される。また、六角形状のフランジ部５１ｂの面５１ｂ３と端板部１１ｂ，１１ｃの樹脂とが互いに引っ掛かることにより、ナット５１の端壁部１１ｂ，１１ｃに対する径方向への移動および周方向への移動（回転）が抑制される。
【００６２】
また、端板部１１ｂ，１１ｃには、覆部１１ｐが設けられている。覆部１１ｐは、フランジ部５１ｂの径方向の外側から、Ｘ方向に沿って突出するとともに径方向の内側に突出し、フランジ部５１ｂの電池セル１２とは反対側、すなわちフランジ部５１ｂの面５１ｂ２を覆っている。筒部５１ａは、覆部１１ｐによって部分的に覆われており、少なくとも一部が覆部１１ｐよりもＸ方向に沿って突出している。ナット５１は、例えば、磁性材料によって構成されている。
【００６３】
以上、説明したように、本実施形態では、例えば、コネクタ１５（第一のコネクタ）が突出部１１ｊに設けられている。よって、本実施形態によれば、例えば、コネクタ１５の位置が分かりやすい。また、例えば、外部コネクタ１００（第二のコネクタ）をコネクタ１５に接続する作業がしやすい。また、例えば、外部コネクタ１００に接続されたケーブル１０４が端壁部１１ｂの外面１１ｂａと接触するのが抑制されやすい。また、例えば、ケーブル１０４の配置の自由度が向上しやすい。
【００６４】
また、本実施形態では、例えば、コネクタ１５は、少なくとも一部が突出部１１ｊの室１１ｊｈ内に収容されている。よって、本実施形態によれば、例えば、コネクタ１５が突出部１１ｊによって保護されやすい。
【００６５】
また、本実施形態では、例えば、導電部材１４（第一の導電部材）は、端子部１４ａ（第一の端子部）と端子部１４ｂ（第二の端子部）との間に設けられた曲部１４ｃ，１４ｄを有している。よって、本実施形態によれば、組電池１の組立時や組電池１を車両等の移動体に搭載した場合の振動等によって、導電部材１４に負荷が作用しても、曲部１４ｃ，１４ｄが変形することにより、端子部１４ａおよび端子部１４ｂでの応力の集中が緩和されやすい。これにより、導電部材１４と電池セル１２およびコネクタ１５との接続の信頼性が向上される。また、コネクタ１５や電池セル１２に配置のばらつきがあった場合であっても、曲部１４ｃ，１４ｄが変形することにより、それらのばらつきが吸収されやすい。
【００６６】
また、本実施形態では、例えば、支持部１１ｇａは、ナット４７（第一のナット）の中心軸Ａｘの軸方向にナット４７を移動可能に支持している。よって、本実施形態によれば、組電池１の組立時や組電池１を車両等の移動体に搭載した場合の振動等によって、導電部材１４に負荷が作用しても、ナット４７とともに導電部材１４，１５ｂが動けるので、導電部材１４，１５ｂの端子部１４ａ，１４ｂ，１５ｄでの応力集中が緩和されやすい。また、コネクタ１５や電池セル１２の配置にばらつきがあった場合であっても、ナット４７の移動によって、それらのばらつきが吸収されやすい。
【００６７】
また、本実施形態では、例えば、ナット４７は、筒部４７ａから筒部４７ａの径方向の外側に張り出したフランジ部４７ｂと、を有し、フランジ部４７ｂが、導電部材１４と導電部材１５ｂとが重ねられた面４７ｄ（第一の面）を有している。よって、本実施形態によれば、例えば、フランジ部４７ｂが設けられていない筒部４７ａに導電部材１４および導電部材１５ｂを重ねる場合に比べて、導電部材１４および導電部材１５ｂを支持する面積を大きくしやすい。したがって、導電部材１４および導電部材１５ｂでの応力集中が緩和されやすい。
【００６８】
また、本実施形態では、例えば、フランジ部４７ｂは、中心軸Ａｘに沿った方向に視て非円形に構成されている。また、支持部１１ｇａは、外周面４７ｅに沿った形状に構成されて外周面４７ｅを囲い、外周面４７ｅと接触した状態で中心軸Ａｘ回りのナット４７の回転を制限する。よって、本実施形態によれば、例えば、作用者がナット４７の回転止めをする必要がないので、ナット４７への雄ネジ部材４９の接続作業がしやすい。
【００６９】
また、本実施形態では、例えば、組電池１は、ブラケット１０１（第一の支持部材）に支持され、絶縁性の端壁部１１ｂ，１１ｃを有した筐体１１と、筐体１１に収容された複数の電池セル１２と、端壁部１１ｂ，１１ｃに設けられ、第一のネジ部１０２ａ（ボルト１０２）と接続可能な第二のネジ部５１ｃと、を備え、第一のネジ部１０２ａがブラケット１０１を間に挟んで第二のネジ部５１ｃに取り付けられた状態で、筐体１１がブラケット１０１に支持されている。よって、本実施形態によれば、例えば、端壁部１１ｂ，１１ｃに設けられた第二のネジ部５１ｃによって、より簡素な構成で筐体１１をブラケット１０１に取り付け可能な組電池１が実現されうる。
【００７０】
また、本実施形態では、例えば、第二のネジ部５１ｃは、端壁部１１ｂ，１１ｃに少なくとも一部が埋め込まれた状態で設けられたナット５１（雌ネジ部）によって構成されている。よって、本実施形態によれば、例えば、第二のネジ部５１ｃがボルト１０２（雄ネジ部）によって構成された場合と比べて、組電池１がより簡素に構成されやすい。よって、例えば、組電池１の製造に要する手間や費用等が低減されたり、端壁部１１ｂ，１１ｃとナット５１とがより容易にあるいはより精度よく一体化されたりしうる。
【００７１】
また、本実施形態では、例えば、ナット５１は、第二のネジ部５１ｃが内側に設けられた筒部５１ａと、筒部５１ａのブラケット１０１とは反対側の端部から筒部５１ａの径方向（ＹＺ平面）の外側に張り出したフランジ部５１ｂと、を有する。よって、本実施形態によれば、例えば、フランジ部５１ｂによって、ナット５１の端壁部１１ｂ，１１ｃに対するＸ方向への移動が抑制され、ひいてはナット５１が端板部１１ｂ，１１ｃから抜けるのが抑制されやすい。
【００７２】
また、本実施形態では、例えば、フランジ部５１ｂは、端壁部１１ｂ，１１ｃの厚さ方向、すなわちＸ方向に視て多角形状に構成されている。よって、本実施形態によれば、例えば、多角形状のフランジ部５１ｂによって、ナット５１の端板部１１ｂ，１１ｃに対する周方向への移動（回転）が抑制され、ひいては第一のネジ部１０２ａと第二のネジ部５１ｃとの接続作業が、より円滑に、より精度よく、あるいはより確実に行われやすい。
【００７３】
また、本実施形態では、例えば、端板部１１ｂ，１１ｃには、フランジ部５１ｂの径方向の外側から突出し、フランジ部５１ｂの電池セル１２とは反対側の面５１ｂ２を覆う覆部１１ｐが設けられている。仮に、端壁部１１ｂ，１１ｃに覆部１１ｐが設けられなかった場合、端壁部１１ｂ，１１ｃのフランジ部５１ｂの面５１ｂ２と対向する部分の肉厚が薄くなってしまう虞がある。その点、本実施形態によれば、覆部１１ｐによって、フランジ部５１ｂの面５１ｂ２と対向する部分の肉厚が薄くなるのが抑制されやすくなり、ひいてはナット５１が端壁部１１ｂ，１１ｃから抜けるのがより確実に抑制されうる。
【００７４】
また、本実施形態では、例えば、筒部５１ａの少なくとも一部が、覆部１１ｐよりも端板部１１ｂ，１１ｃの厚さ方向、すなわちＸ方向に突出している。よって、本実施形態によれば、例えば、筒部５１ａによって、ブラケット１０１と覆部１１ｐとの接触が抑制され、ひいてはブラケット１０１と覆部１１ｐとの接触によって生じる影響が抑制されやすい。
【００７５】
また、本実施形態では、例えば、ナット５１は、第二のネジ部５１ｃのブラケット１０１とは反対側の端部が閉じられている。よって、本実施形態によれば、例えば、第二のネジ部５１ｃのブラケット１０１とは反対側の端部が開放された場合と比べて、第一のネジ部１０２ａ（ボルト１０２）の端板部１１ｂ，１１ｃへの侵入、ひいては収容室１１ｉへの侵入がより確実に抑制されやすい。
【００７６】
また、本実施形態では、例えば、ナット５１は、磁性材料によって構成されている。よって、本実施形態によれば、例えば、筐体１１とナット５１との一体成形時に、磁石等によってナット５１を端壁部１１ｂ，１１ｃの任意の位置で保持することができるようになり、ひいては端板部１１ｂ，１１ｃとナット５１とがより容易にあるいはより精度よく一体化されやすい場合がある。また、例えば、端板部１１ｂ，１１ｃに設けられた磁石等にナット５１を結合することにより、ナット５１を端壁部１１ｂ，１１ｃの任意の位置で保持（固定）できる場合もある。
【００７７】
また、本実施形態では、例えば、端壁部１１ｂには、下端部１１ｓ（第一の端部）よりも上端部１１ｔ（第二の端部）の近くにコネクタ１５Ａ，１５Ｂ（コネクタ接続部）が設けられ、上端部１１ｔよりも下端部１１ｓの近くに第二のネジ部５１ｃが設けられている。よって、本実施形態によれば、例えば、コネクタ１５Ａ，１５Ｂと第二のネジ部５１ｃとが、Ｚ方向に互いにより離れて配置されやすい。よって、例えば、第二のネジ部５１ｃに取り付けられるブラケット１０１が、コネクタ１５Ａ，１５Ｂひいてはコネクタ１５Ａ，１５Ｂと接続される外部コネクタ１００等と干渉するのがより抑制されたり、ブラケット１０１がＺ方向により小型に構成されたりしうる。また、ブラケット１０１がより小型に構成されやすいため、端板部１１ｂ，１１ｃに設けられうるシリアル番号等の表示部が、ブラケット１０１によって覆われて隠れるのが抑制されやすい場合がある。
【００７８】
また、本実施形態では、例えば、コネクタ１５Ａ，１５Ｂと第二のネジ部５１ｃとが、Ｙ方向（第一の方向）にオフセットして配置されている。よって、本実施形態によれば、例えば、コネクタ１５Ａ，１５Ｂと接続される外部コネクタ１００のケーブル１０４等が、第二のネジ部５１ｃ（ナット５１）ひいては第二のネジ部５１ｃと結合される第一のネジ部１０２ａ（ボルト１０２）に干渉するのが抑制されやすい。
【００７９】
また、本実施形態では、例えば、外部コネクタ１００とコネクタ１５とが接続された状態で、外部コネクタ１００に接続されたケーブル１０４が端壁部１１ｂに沿って延びている。このような構成において、本実施形態では、コネクタ１５が突出部１１ｊに設けられている。よって、本実施形態によれば、例えば、突出部１１ｊが設けられていない場合に比べて、ケーブル１０４と壁部１１ｂの外面１１ｂａとの間の隙間を大きくしやすい。
【００８０】
また、本実施形態では、筐体１１は、設置部１０３に底壁部１１ａが接続されているとともに、設置部１０３にブラケット１０１を介してナット５１が接続されている。よって、筐体１１と設置部１０３との間の伝熱路が複数となるので組電池１の放熱がされやすい。なお、前述のように、底壁部１１ａは、熱伝導部材を介して設置部１０３に接続されていてもよい。
【００８１】
＜他の実施形態＞
次に、図１６〜１８に示される第２〜４の実施形態について説明する。第２〜第４の実施形態の組電池は、上記第１の実施形態の組電池１と同様の構成を備えている。よって、本実施形態によっても、上記第１の実施形態と同様の構成に基づく同様の結果（効果）が得られる。ただし、第２〜第４の実施形態の組電池は、第１の実施形態に対して、ナット４７が主に異なる。
【００８２】
図１６に示される第２の実施形態のナット４７では、フランジ部４７ｂは、張り出し量および形状が互いに異なる二つの部分（第一の部分４７ｆ、第二の部分４７ｇ）を有している。第一の部分４７ｆは、外周面４７ｅを有し筒部４７ａから径方向の外側に張り出している。第二の部分４７ｇは、第一の部分４７ｆと接続されている。第二の部分４７ｇは、面４７ｄを有し、少なくとも一部（一例として、全部）が第一の部分４７ｆから径方向の外側に張り出している。そして、面４７ｄの面積は、第一の部分４７ｆの中心軸Ａｘと直交する断面の面積よりも大きい。
【００８３】
以上、説明したように、本実施形態では、面４７ｄの面積は、第一の部分４７ｆの中心軸Ａｘと直交する断面の面積よりも大きい。よって、本実施形態によれば、例えば、導電部材１４および導電部材１５ｂを支持する部分の面積を大きくしやすい。したがって、導電部材１４および導電部材１５ｂでの応力集中が緩和されやすい。
【００８４】
図１７に示される第３の実施形態のナット４７は、第２の実施形態のナット４７と同様に、第一の部分４７ｆと、第二の部分４７ｇと、を有している。ただし、本実施形態では、面４７ｄ（第二の部分４７ｇ）は、中心軸Ａｘに関して非対称に構成されている。すなわち、面４７ｄは、その外周部に、中心軸Ａｘに関して筒部４７ａの径方向で互いに反対側に位置して、中心軸Ａｘからの距離（最短距離）が互いに異なる一対の部分を有している。一例として、面４７ｄは、その外周縁部に、曲率一定の湾曲部４７ｄａと、直線部４７ｄｂと、を有しており、例えば、湾曲部４７ｄａと中心軸Ａｘとの間の距離（最短距離）と、直線部４７ｄｂの中心部と中心軸Ａｘとの間の距離（最短距離）が異なる。
【００８５】
また、湾曲部４７ｄａと中心軸Ａｘとの間の距離（最短距離）よりも、直線部４７ｄｂの中心部と中心軸Ａｘとの間の距離（最短距離）の方が短い。このような構成のナット４７は、一例として、直線部４７ｄｂがＹ方向に沿う姿勢で、配置される。これにより、コネクタ１５のボディー１５ａおよびナット４７をＸ方向に近づけやすい。よって、組電池１の小型化および体積エネルギー密度の向上がしやすい。
【００８６】
図１８に示される第４の実施形態のナット４７は、第１の実施形態と同様に、外周面４７ｅと面４７ｄとが連続して設けられている。ただし、本実施形態では、面４７ｄが中心軸Ａｘに関して非対称に構成されている。すなわち、面４７ｄは、その外周部に、中心軸Ａｘに関して筒部４７ａの径方向で互いに反対側に位置して、中心軸Ａｘからの距離（最短距離）が互いに異なる一対の部分を有している。一例として、面４７ｄは、その外周部に、直線部４７ｄｄ，４７ｄｅを有している。直線部４７ｄｅの中心軸Ａｘからの距離（最短距離）は、直線部４７ｄｄの中心軸Ａｘからの距離（最短距離）よりも短い。このような構成のナット４７は、一例として、直線部４７ｄｄ，４７ｄｅがＹ方向に沿う姿勢で、配置される。これにより、例えば、直線部４７ｄｅの中心軸Ａｘからの距離が直線部４７ｄｄと同じ構成に比べて、コネクタ１５のボディー１５ａおよびナット４７をＸ方向に近づけやすい。よって、組電池１の小型化および体積エネルギー密度の向上がしやすい。
【００８７】
また、以上説明した第２〜第４の実施形態の支持部１１ｇａの内面は、第１の実施形態と同様に、第２〜第４の実施形態のナット４７に沿った形状となっており、第２〜第４の実施形態の支持部１１ｇａは、第１の実施形態の支持部１１ｇａと同様の作用効果を奏する。
【００８８】
なお、上記各実施形態では、第一のコネクタが雌コネクタで、第二のコネクタが雄コネクタである例を説明したが、これに限られるものではない。第一のコネクタが雄コネクタで、第二のコネクタが雌コネクタであってもよい。また、第一のネジ部材がナットで、第二のネジ部材が雄ネジ部材であってもよい。
【００８９】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【図１】
2017158773.tif 000003
【図２】
2017158773.tif 000004
【図３】
2017158773.tif 000005
【図４】
2017158773.tif 000006
【図５】
2017158773.tif 000007
【図６】
2017158773.tif 000008
【図７】
2017158773.tif 000009
【図８】
2017158773.tif 000010
【図９】
2017158773.tif 000011
【図１０】
2017158773.tif 000012
【図１１】
2017158773.tif 000013
【図１２】
2017158773.tif 000014
【図１３】
2017158773.tif 000015
【図１４】
2017158773.tif 000016
【図１５】
2017158773.tif 000017
【図１６】
2017158773.tif 000018
【図１７】
2017158773.tif 000019
【図１８】
2017158773.tif 000020
【国際調査報告】
2017158773.tif 000021
2017158773.tif 000022
2017158773.tif 000023
2017158773.tif 000024